【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
光源と、
前記光源が出射した光を伝送して被検体に出射する光伝送部と、
前記光伝送部を走査する走査部と、
前記光伝送部の入射側に配置された第一の光測定部と、
第二の光測定部と、
前記第一の光測定部が測定する光量と前記第二の光測定部が測定する光量との関係を示す換算情報を取得する取得部と、
前記光伝送部が出射した光によって前記被検体から発生する音響波を受信して電気信号に変換する探触子と、
前記電気信号に基づいて前記被検体内の特性情報を取得する処理部と、
を有し、 
前記走査部は、前記光伝送部から出射される光が前記被検体に照射されるように前記光伝送部を走査する第一の走査モードと、前記第二の光測定部が前記光伝送部から出射される光を測定できるように前記光伝送部を走査する第二の走査モードとを実行可能とし、
前記取得部は、前記第二の走査モードが実行されたときに前記第一の光測定部及び前記第二の光測定部により測定された光量に基づいて、前記換算情報を取得し、
前記処理部は、前記第一の走査モードのときに前記探触子により変換された前記電気信号および前記第一の光測定部により測定された光量、ならびに、前記換算情報に基づいて、前記特性情報を取得する
ことを特徴とする被検体情報取得装置。
【請求項２】
前記換算情報としての換算係数を格納する格納部をさらに有する
ことを特徴とする請求項１に記載の被検体情報取得装置。
【請求項３】
前記換算係数が所定の範囲に含まれるかどうかを判断する判断部をさらに有する
ことを特徴とする請求項２に記載の被検体情報取得装置。
【請求項４】
前記格納部に格納された前記換算係数と前記取得部により新たに取得された換算係数とを比較し、変動が所定の範囲に含まれる場合に前記換算係数を更新する判断部をさらに有する
ことを特徴とする請求項２に記載の被検体情報取得装置。
【請求項５】
前記判断部は、前記換算係数が前記所定の範囲に含まれないと判断した場合、その旨を提示手段に提示させる
ことを特徴とする請求項３に記載の被検体情報取得装置。
【請求項６】
前記判断部は、前記変動が前記所定の範囲に含まれないと判断した場合、その旨を提示手段に提示させる
ことを特徴とする請求項４に記載の被検体情報取得装置。
【請求項７】
前記第二の光測定部と前記取得部を着脱可能に接続する接続部をさらに有する
ことを特徴とする請求項１から６のいずれか１項に記載の被検体情報取得装置。
【請求項８】
前記光源からの光の一部を分岐する光分岐部をさらに有し、
前記第一の光測定部は、前記光分岐部で分岐された光量を測定する
ことを特徴とする請求項１から７のいずれか１項に記載の被検体情報取得装置。
【請求項９】
前記光源はレーザーであり、
前記第一の光測定部は、前記光源のリアミラーを透過する光量を測定する
ことを特徴とする請求項１から７のいずれか１項に記載の被検体情報取得装置。
【請求項１０】
前記処理部は、
前記第一の走査モードのときに前記第一の光測定部により測定された光量、及び、前記換算情報に基づいて、前記第一の走査モードのときに前記光伝送部から出射された光の光量情報を取得し、
前記第一の走査モードのときに前記探触子により変換された前記電気信号、及び、前記第一の走査モードのときに前記光伝送部から出射された光の光量情報に基づいて、前記特性情報を取得する
ことを特徴とする請求項１から９のいずれか１項に記載の被検体情報取得装置。
【請求項１１】
光源から出射されて光伝送部により被検体に伝送された光を、前記光伝送部の入射側で測定する第一の光測定ステップと、
前記光伝送部から出射される光を測定する第二の光測定ステップと、
前記光伝送部を走査する走査ステップと、
前記第一の光測定ステップで測定される光量と前記第二の光測定ステップで測定される光量との関係を示す換算情報を取得する取得ステップと、
前記光伝送部が出射した光によって前記被検体から発生する音響波を受信して電気信号に変換する変換ステップと、
前記電気信号に基いて前記被検体内の特性情報を取得する処理ステップと、
を有し、
前記走査ステップは、前記光伝送部から出射される光が前記被検体に照射されるように前記光伝送部を走査する第一の走査サブステップと、前記第二の光測定ステップにおいて前記光伝送部から出射される光を測定できるように前記光伝送部を走査する第二の走査サブステップとを含み、
前記取得ステップでは、前記第二の走査サブステップが実行されたときに前記第一の光測定ステップ及び前記第二の光測定ステップにおいて測定された光量に基づいて、前記換算情報が取得され、
前記処理ステップでは、前記第一の走査サブステップが実行されたときに探触子により変換された前記電気信号および前記第一の光測定ステップにおいて測定された光量、ならびに、前記換算情報に基づいて、前記特性情報が取得される
ことを特徴とする被検体情報取得方法。
【請求項１２】
光源から出射されて光伝送部により被検体に伝送された光を、前記光伝送部の入射側で測定する第一の光測定ステップと、
前記光伝送部から出射される光を測定する第二の光測定ステップと、
前記光伝送部を走査する走査ステップと、
前記第一の光測定ステップで測定される光量と前記第二の光測定ステップで測定される光量との関係を示す換算情報を取得する取得ステップと、
前記光伝送部が出射した光によって前記被検体から発生する音響波を受信して電気信号に変換する変換ステップと、
前記電気信号に基いて前記被検体内の特性情報を取得する処理ステップと、
を情報処理装置に実行させるプログラムであって、
前記走査ステップは、前記光伝送部から出射される光が前記被検体に照射されるように前記光伝送部を走査する第一の走査サブステップと、前記第二の光測定ステップにおいて前記光伝送部から出射される光を測定できるように前記光伝送部を走査する第二の走査サブステップとを含み、
前記取得ステップでは、前記第二の走査サブステップが実行されたときに前記第一の光測定ステップ及び前記第二の光測定ステップにおいて測定された光量に基づいて、前記換算情報が取得され、
前記処理ステップでは、前記第一の走査サブステップが実行されたときに探触子により変換された前記電気信号および前記第一の光測定ステップにおいて測定された光量、ならびに、前記換算情報に基づいて、前記特性情報が取得される
ことを特徴とするプログラム。
【手続補正２】
【補正対象書類名】明細書
【補正対象項目名】発明の名称
【補正方法】変更
【補正の内容】
【発明の名称】被検体情報取得装置、被検体情報取得方法およびプログラム
【手続補正３】
【補正対象書類名】明細書
【補正対象項目名】０００１
【補正方法】変更
【補正の内容】
【０００１】
本発明は、被検体情報取得装置、被検体情報取得方法およびプログラムに関する。
【手続補正４】
【補正対象書類名】明細書
【補正対象項目名】０００８
【補正方法】変更
【補正の内容】
【０００８】
本発明は以下の構成を採用する。すなわち、
光源と、
前記光源が出射した光を伝送して被検体に出射する光伝送部と、
前記光伝送部を走査する走査部と、
前記光伝送部の入射側に配置された第一の光測定部と、
第二の光測定部と、
前記第一の光測定部が測定する光量と前記第二の光測定部が測定する光量との関係を示す換算情報を取得する取得部と、
前記光伝送部が出射した光によって前記被検体から発生する音響波を受信して電気信号に変換する探触子と、
前記電気信号に基づいて前記被検体内の特性情報を取得する処理部と、
を有し、 
前記走査部は、前記光伝送部から出射される光が前記被検体に照射されるように前記光伝送部を走査する第一の走査モードと、前記第二の光測定部が前記光伝送部から出射される光を測定できるように前記光伝送部を走査する第二の走査モードとを実行可能とし、
前記取得部は、前記第二の走査モードが実行されたときに前記第一の光測定部及び前記第二の光測定部により測定された光量に基づいて、前記換算情報を取得し、
前記処理部は、前記第一の走査モードのときに前記探触子により変換された前記電気信号および前記第一の光測定部により測定された光量、ならびに、前記換算情報に基づいて、前記特性情報を取得する
ことを特徴とする被検体情報取得装置である。
【手続補正５】
【補正対象書類名】明細書
【補正対象項目名】０００９
【補正方法】変更
【補正の内容】
【０００９】
本発明はまた、以下の構成を採用する。すなわち
光源から出射されて光伝送部により被検体に伝送された光を、前記光伝送部の入射側で測定する第一の光測定ステップと、
前記光伝送部から出射される光を測定する第二の光測定ステップと、
前記光伝送部を走査する走査ステップと、
前記第一の光測定ステップで測定される光量と前記第二の光測定ステップで測定される光量との関係を示す換算情報を取得する取得ステップと、
前記光伝送部が出射した光によって前記被検体から発生する音響波を受信して電気信号に変換する変換ステップと、
前記電気信号に基いて前記被検体内の特性情報を取得する処理ステップと、
を有し、
前記走査ステップは、前記光伝送部から出射される光が前記被検体に照射されるように前記光伝送部を走査する第一の走査サブステップと、前記第二の光測定ステップにおいて前記光伝送部から出射される光を測定できるように前記光伝送部を走査する第二の走査サブステップとを含み、
前記取得ステップでは、前記第二の走査サブステップが実行されたときに前記第一の光測定ステップ及び前記第二の光測定ステップにおいて測定された光量に基づいて、前記換算情報が取得され、
前記処理ステップでは、前記第一の走査サブステップが実行されたときに探触子により変換された前記電気信号および前記第一の光測定ステップにおいて測定された光量、ならびに、前記換算情報に基づいて、前記特性情報が取得される
ことを特徴とする被検体情報取得方法である。
本発明はまた、以下の構成を採用する。すなわち、
光源から出射されて光伝送部により被検体に伝送された光を、前記光伝送部の入射側で
測定する第一の光測定ステップと、
前記光伝送部から出射される光を測定する第二の光測定ステップと、
前記光伝送部を走査する走査ステップと、
前記第一の光測定ステップで測定される光量と前記第二の光測定ステップで測定される光量との関係を示す換算情報を取得する取得ステップと、
前記光伝送部が出射した光によって前記被検体から発生する音響波を受信して電気信号に変換する変換ステップと、
前記電気信号に基いて前記被検体内の特性情報を取得する処理ステップと、
を情報処理装置に実行させるプログラムであって、
前記走査ステップは、前記光伝送部から出射される光が前記被検体に照射されるように前記光伝送部を走査する第一の走査サブステップと、前記第二の光測定ステップにおいて前記光伝送部から出射される光を測定できるように前記光伝送部を走査する第二の走査サブステップとを含み、
前記取得ステップでは、前記第二の走査サブステップが実行されたときに前記第一の光測定ステップ及び前記第二の光測定ステップにおいて測定された光量に基づいて、前記換算情報が取得され、
前記処理ステップでは、前記第一の走査サブステップが実行されたときに探触子により変換された前記電気信号および前記第一の光測定ステップにおいて測定された光量、ならびに、前記換算情報に基づいて、前記特性情報が取得される
ことを特徴とするプログラムである。